(57)【特許請求の範囲】
【請求項１】
貨幣を処理する貨幣処理装置において、
入金貨幣が投入される入金口と、
貨幣を収納する複数の収納部と、
貨幣を保留可能な一時保留部と、
投入された入金貨幣を、前記入金口から前記一時保留部を介して又は前記一時保留部を介さずに前記収納部へ搬送可能な搬送部と、
入金処理に係る動作を、保留モードと非保留モードのいずれかに設定可能なモード設定部と、
前記モード設定部の設定に基づいて前記搬送部を制御し、保留モードでは前記入金口に投入された入金貨幣を前記一時保留部に保留した後に前記収納部へ搬送して収納し、非保留モードでは前記入金貨幣を前記一時保留部を介さずに前記入金口から前記収納部へ直接搬送して収納することにより前記入金処理を実行する制御部と、
を備えることを特徴とする貨幣処理装置。
【請求項２】
貨幣を処理する貨幣処理装置において、
貨幣を収納する複数の収納部と、
出金貨幣が排出される出金口と、
貨幣を一時的に保留可能な一時保留部と、
排出する出金貨幣を、前記収納部から前記一時保留部を介して又は前記一時保留部を介さずに前記出金口へ搬送可能な搬送部と、
出金処理に係る動作を、保留モードと非保留モードのいずれかに設定可能なモード設定部と、
前記モード設定部の設定に基づいて前記搬送部を制御し、保留モードでは前記収納部から出金する出金貨幣を前記一時保留部に保留した後に前記出金口へ搬送して排出し、非保留モードでは前記出金貨幣を前記一時保留部を介さずに前記収納部から前記出金口へ直接搬送して排出することにより前記出金処理を実行する制御部と、
を備えることを特徴とする貨幣処理装置。
【請求項３】
請求項１に記載の貨幣処理装置であって、さらに、
入金貨幣の正損を識別する識別部、
を備え、
前記制御部は、前記非保留モードでは、前記識別部によって損券と識別された入金貨幣を前記一時保留部に搬送して収納することを特徴とする貨幣処理装置。
【請求項４】
請求項３に記載の貨幣処理装置であって、さらに、
リジェクト紙幣を収納するリジェクトボックス、
を備え、
前記制御部は、前記損券と識別された入金貨幣を、前記リジェクトボックスまたは前記一時保留部に搬送して収納することを特徴とする貨幣処理装置。
【請求項５】
請求項４に記載の貨幣処理装置であって、
前記制御部は、前記一時保留部に損券が収納され、かつ前記リジェクトボックスに紙幣を収納可能であるときは、前記一時保留部の損券を前記リジェクトボックスに搬送し収納することを特徴とする貨幣処理装置。
【請求項６】
請求項４に記載の貨幣処理装置であって、
前記制御部は、前記一時保留部に損券が収納され、かつ前記リジェクトボックスに紙幣を収納不可能であるときは、前記一時保留部に損券が収納されていることを報知することを特徴とする貨幣処理装置。
【請求項７】
請求項１に記載の貨幣処理装置であって、さらに、
入金貨幣が処理対象貨幣であるか否かを識別する識別部、
を備え、
前記制御部は、前記非保留モードでは、前記識別部によって対象外貨幣と識別された入金貨幣を前記一時保留部へ搬送して収納することを特徴とする貨幣処理装置。
【請求項８】
請求項７に記載の貨幣処理装置であって、
前記制御部は、前記対象外貨幣を、処理対象貨幣の貨幣価値に換算して計数することを特徴とする貨幣処理装置。
【請求項９】
請求項１に記載の貨幣処理装置であって、
出金貨幣が排出される出金口をさらに備え、
前記一時保留部は、前記非保留モードでは、記番号を記録済みの追跡可能貨幣を収納し、
前記制御部は、前記非保留モードでは、所定の指示に応じて前記追跡可能貨幣を前記一時保留部から前記出金口に搬送して排出することを特徴とする貨幣処理装置。
【請求項１０】
請求項９に記載の貨幣処理装置であって、さらに、
貨幣の記番号を識別する識別部、
を備え、
前記制御部は、前記入金口または前記収納部から繰り出した貨幣の記番号を前記識別部により識別して出力すると共に、識別後の貨幣を前記追跡可能貨幣として前記一時保留部へ搬送して収納することを特徴とする貨幣処理装置。
【請求項１１】
請求項１０に記載の貨幣処理装置であって、さらに、
前記制御部が出力する、前記識別部で識別された前記追跡可能貨幣の記番号を記憶する記憶部、
を備えることを特徴とする貨幣処理装置。
【請求項１２】
請求項１に記載の貨幣処理装置であって、さらに、
出金貨幣が排出される出金口、
を備え、
前記一時保留部は、前記非保留モードでは、所定金種の貨幣を収納し、
前記制御部は、前記非保留モードでは、入金貨幣から前記所定金種への両替指示に応じて、前記入金貨幣と同額分の前記所定金種の貨幣を、前記一時保留部から優先的に搬送し、前記一時保留部の貨幣が不足したときは前記収納部から前記所定金種の貨幣を搬送し、前記出金口へ排出する
ことを特徴とする貨幣処理装置。
【請求項１３】
請求項１に記載の貨幣処理装置であって、さらに、
出金貨幣が排出される出金口、
を備え、
前記一時保留部は、前記非保留モードでは、所定金種の貨幣を収納し、
前記制御部は、前記非保留モードでは、入金貨幣から前記所定金種への両替指示に応じて、前記入金貨幣と同額分の前記所定金種の貨幣を、前記収納部から優先的に搬送し、前記収納部の貨幣が不足したときは前記一時保留部から前記所定金種の貨幣を搬送し、前記出金口へ排出すると共に、
前記一時保留部に前記所定金種の貨幣が収納され、かつ前記所定金種を収納する前記収納部に貨幣を収納可能であるときは、前記一時保留部の貨幣を前記収納部に搬送して収納することを特徴とする貨幣処理装置。
【発明の詳細な説明】
【技術分野】
【０００１】
本発明は、例えば入金処理や出金処理といった、貨幣に関する処理を実行する貨幣処理装置に関する。
【背景技術】
【０００２】
従来、銀行等において貨幣の入金処理や出金処理等を実行する貨幣処理装置が広く用いられている。貨幣処理装置が用いられることにより、入金や出金等の処理は、手作業に比べて正確かつ迅速に行われることとなる。【０００３】
ここで貨幣処理装置による入金処理は、例えば以下に説明する流れによって実行される。まず入金口に投入された入金貨幣は、貨幣を一時保留する一時保留部に搬送される。このとき、各入金貨幣についての金種、真偽、正損等の識別が実行される。そして、識別結果に基づいて入金貨幣の総額である入金額が算出される。【０００４】
その後、貨幣処理装置は、表示部等に入金額を表示すると共に、ユーザに入金の許否を選択させる。そしてユーザによって入金が許可されると、一時保留されている入金貨幣は収納部に収納される。一方、入金が許可されない場合は、一時保留されている入金貨幣は返却される。【０００５】
即ち、入金口から入金された入金貨幣は、直ちには収納部に収納されず、一旦一時保留部に収納され、入金処理がキャンセルされた場合は入金された貨幣がそのまま一時保留部から返却される。【０００６】
このように、入金額を承認する動作を行った上で、承認されなかった場合には入金された貨幣現物をそのまま返却することで、取引に関する疑義が生ずることを回避し、正確に貨幣を処理することができる。【０００７】
一時保留部を有さず入金貨幣が直ちに収納部に収納される貨幣処理装置では、入金処理がキャンセルされると収納部から貨幣を１枚ずつ繰り出して返却する必要がある。このような装置に比べて、一時保留部を利用する貨幣処理装置では返却に係る処理を迅速に行えるという利点もある。【０００８】
入金処理を行う場合だけでなく、出金処理を行う場合でも出金貨幣が直ちには出金口に搬送されず一時保留される場合がある。このような貨幣処理装置によれば、例えば出金貨幣を一時保留中に装置内部で障害が発生したような場合、出金口から出金済みの貨幣の取扱いを考慮することなく、出金のキャンセル処理を実現することができる。
【先行技術文献】
【特許文献】
【０００９】
【特許文献１】特開２００４−１４５６００号公報
【発明の概要】
【発明が解決しようとする課題】
【００１０】
上述した通り、貨幣処理を正確なものとするためには一時保留部の利用が有効である。しかし、一時保留部を利用して入金する場合、入金貨幣が入金口から収納部へ直接搬送されるものに比べて、収納完了までに時間がかかるという問題がある。特に、大量の貨幣が入金される場合この問題は顕著となる。【００１１】
また貨幣処理装置の利用目的や使用環境によっては、入金処理における正確性よりも迅速性の方が重要となる場合がある。例えば、予め総額が分かっている貨幣や少額の貨幣を入金するような場合、入金額の承認処理はその重要度が低くなる。中には一時保留動作を省略してでも、迅速に処理が完了することを要求するユーザも存在し得る。【００１２】
そこで、一時保留部を利用して正確な貨幣処理を実現することが可能でありながら、利用目的や使用環境に柔軟に対応するために一時保留動作を行わない貨幣処理を行うことも可能な貨幣処理装置が望まれる。【００１３】
本発明は上述した問題点に鑑み、入出金処理における貨幣の一時保留動作の有無を設定可能な貨幣処理装置の提供を目的とする。また、一時保留動作を行わない場合にも一時保留部を有効に活用した運用が可能な貨幣処理装置を提供することをも目的とする。
【課題を解決するための手段】
【００１４】
上記課題を解決すベく、本発明に係る貨幣処理装置の第１の態様は、貨幣を処理する貨幣処理装置において、入金貨幣が投入される入金口と、貨幣を収納する複数の収納部と、貨幣を保留可能な一時保留部と、投入された入金貨幣を、入金口から一時保留部を介して又は一時保留部を介さずに収納部へ搬送可能な搬送部と、入金処理に係る動作を、保留モードと非保留モードのいずれかに設定可能なモード設定部と、モード設定部の設定に基づいて搬送部を制御し、保留モードでは前記入金口に投入された入金貨幣を一時保留部に保留した後に収納部へ搬送して収納し、非保留モードでは入金貨幣を一時保留部を介さずに入金口から収納部へ直接搬送して収納することにより入金処理を実行する制御部とを備えることを特徴とする。
【００１５】
また本発明に係る第２の態様は、貨幣を処理する貨幣処理装置において、貨幣を収納する複数の収納部と、出金貨幣が排出される出金口と、貨幣を一時的に保留可能な一時保留部と、排出する出金貨幣を収納部から一時保留部を介して又は一時保留部を介さずに出金口へ搬送可能な搬送部と、出金処理に係る動作を保留モードと非保留モードのいずれかに設定可能なモード設定部と、モード設定部の設定に基づいて搬送部を制御し保留モードでは収納部から出金する出金貨幣を一時保留部に保留した後に出金口へ搬送して排出し、非保留モードでは出金貨幣を一時保留部を介さずに収納部から排出口へ直接搬送して排出することにより出金処理を実行する制御部とを備えることを特徴とする。
【００１６】
また本発明に係る第３の態様は、第１の態様に係る貨幣処理装置であって、さらに、入金貨幣の正損を識別する識別部を備え、制御部は非保留モードでは識別部によって損券と識別された入金貨幣を一時保留部に搬送して収納することを特徴とする。【００１７】
また本発明に係る第４の態様は、第３の態様に係る貨幣処理装置であって、さらに、リジェクト紙幣を収納するリジェクトボックスを備え、制御部は損券と識別された入金貨幣をリジェクトボックスまたは一時保留部に搬送して収納することを特徴とする。【００１８】
また本発明に係る第５の態様は、第４の態様に係る貨幣処理装置であって、制御部は一時保留部に損券が収納され、かつ前記リジェクトボックスに紙幣を収納可能であるときは、一時保留部の損券をリジェクトボックスに搬送し収納することを特徴とする。【００１９】
また本発明に係る第６の態様は、第４の態様に係る貨幣処理装置であって、制御部は一時保留部に損券が収納され、かつリジェクトボックスに紙幣を収納不可能であるときは、一時保留部に損券が収納されていることを報知することを特徴とする。【００２０】
また本発明に係る第７の態様は、第１の態様に係る貨幣処理装置であって、さらに入金貨幣が処理対象貨幣であるか否かを識別する識別部を備え、制御部は非保留モードでは識別部によって対象外貨幣と識別された入金貨幣を一時保留部へ搬送して収納することを特徴とする。【００２１】
また本発明に係る第８の態様は、第７の態様に係る貨幣処理装置であって、制御部は対象外貨幣を、処理対象貨幣の貨幣価値に換算して計数することを特徴とする。【００２２】
また本発明に係る第９の態様は、第１の態様に係る貨幣処理装置であって、出金貨幣が排出される出金口をさらに備え、一時保留部は非保留モードでは記番号を記録済みの追跡可能貨幣を収納し、制御部は非保留モードでは所定の指示に応じて追跡可能貨幣を一時保留部から出金口に搬送して排出することを特徴とする。
【００２３】
また本発明に係る第１０の態様は、第９の態様に係る貨幣処理装置であって、さらに貨幣の記番号を識別する識別部を備え、制御部は入金口または収納部から繰り出した貨幣の記番号を識別部により識別して出力すると共に、識別後の貨幣を追跡可能貨幣として一時保留部へ搬送して収納することを特徴とする。【００２４】
また本発明に係る第１１の態様は、第１０の態様に係る貨幣処理装置であって、さらに制御部が出力する識別部で識別された追跡可能貨幣の記番号を記憶する記憶部を備えることを特徴とする。【００２５】
また本発明に係る第１２の態様は、第１の態様に係る貨幣処理装置であって、さらに出金貨幣が排出される出金口を備え、一時保留部は非保留モードでは所定金種の貨幣を収納し、制御部は非保留モードでは入金貨幣から所定金種への両替指示に応じて入金貨幣と同額分の所定金種の貨幣を一時保留部から優先的に搬送し、一時保留部の貨幣が不足したときは収納部から所定金種の貨幣を搬送し出金口へ排出することを特徴とする。
【００２６】
また、本発明に係る第１３の態様は、第１の態様に係る貨幣処理装置であって、さらに出金貨幣が排出される出金口を備え、一時保留部は非保留モードでは所定金種の貨幣を収納し、制御部は非保留モードでは入金貨幣から所定金種への両替指示に応じて入金貨幣と同額分の所定金種の貨幣を収納部から優先的に搬送し、収納部の貨幣が不足したときは一時保留部から所定金種の貨幣を搬送し出金口へ排出すると共に、一時保留部に所定金種の貨幣が収納され、かつ所定金種を収納する前記収納部に貨幣を収納可能であるときは、一時保留部の貨幣を収納部に搬送して収納することを特徴とする。
【発明の効果】
【００２７】
本発明に係る貨幣処理装置の第１または第２の態様によれば、ユーザの指示に応じて、処理モードが保留モードに設定された場合には、入金処理または出金処理において貨幣の一時保留がなされ、処理モードが非保留モードに設定された場合には、入金処理または出金処理において貨幣の一時保留がなされない。そのため、入金処理または出金処理における貨幣の一時保留の有無が、ユーザによって変更可能となる。その結果、使用環境等に柔軟に適応することが可能となる。【００２８】
また第３の態様によれば、処理モードが非保留モードに設定されている場合に、入金処理において正券と損券とを分離して集積させ、損券の集積に一時保留部を活用することができる。【００２９】
また第４の態様によれば、一時保留部を損券の集積に活用し、リジェクトボックスの収納容量で不足する場合にも処理を停止せず継続することができる。【００３０】
また第５の態様によれば、紙幣を、リジェクトボックスに優先して収納することで、一時保留部を紙幣の収納に利用する場合でもセキュリティ性の低下を回避することができる。【００３１】
また第６の態様によれば、利用者に一時保留部に紙幣が残留することを報知することで、一時保留部を紙幣の収納に利用する場合でもセキュリティ性の低下を回避することができる。【００３２】
また第７の態様によれば、リサイクル使用しない処理対象外紙幣を、処理対象紙幣と分離して収納することができる。【００３３】
また第８の態様によれば、リサイクル使用しない処理対象外紙幣であっても入金対象として、処理対象の貨幣価値に換算した上で入金額に加算することができる。【００３４】
また第９の態様によれば、記番号等を記録済みの追跡可能紙幣を一時保留部に収納することで、強盗等の緊急時に出金して使用し、後日盗難された紙幣を追跡することができる。【００３５】
また第１０の態様によれば、追跡可能紙幣を貨幣処理装置内部で作成し一時保留部へ収納することができる。【００３６】
また第１１の態様によれば、貨幣処理装置内部で追跡可能紙幣を作成した際に、追跡可能紙幣の記番号を装置内部に記憶しておくことができる。【００３７】
また第１２の態様によれば、一時保留部を両替用の紙幣を収納するために活用し、両替処理を行う際に、一時保留部に収納された紙幣を出金することができる。【００３８】
また第１３の態様によれば、一時保留部を収納部への貨幣補充用に活用し、両替処理により収納部から紙幣が出金された後に、一時保留部から収納部へ紙幣を補充することができる。
【図面の簡単な説明】
【００３９】
【図１】本発明の実施形態に係る紙幣処理システムの構成図である。
【図２】本発明の実施形態に係る紙幣入出金機の構成図である。
【図３】本発明の実施形態における制御体系に関するブロック図である。
【図４】本発明の実施形態における第１処理モードに関する処理の流れ図である。
【図５】本発明の実施形態における第２処理モードに関する処理の流れ図である。
【図６】本発明の実施形態における第３処理モードに関する処理の流れ図である。
【図７】本発明の実施形態における第４処理モードに関する処理の流れ図である。
【図８】本発明の実施形態における第５処理モードに関する処理の流れ図である。
【図９】スタッカの配列情報の修正に関する処理の流れ図である。
【発明を実施するための形態】
【００４０】
以下、本発明の実施形態について図面を参照しながら説明する。尚、以下の実施形態は、すべての局面において例示であって、本発明、その適用物或いはその用途をこれに限定することを意図するものではない。ここに例示されない無数の変形例が、本発明の範囲から外れることなく想定され得る。
【００４１】
本発明の実施形態について、紙幣処理システム１を例に挙げて以下に説明する。
【００４２】
当該紙幣処理システム１の構成を図１に示す。このように紙幣処理システム１は、紙幣入出金機１１、および２台の端末（１２、１３）により構成されている。ここで、紙幣入出金機１１が本発明に係る貨幣処理装置に相当する。
【００４３】
端末（１２、１３）とは、例えばパーソナルコンピュータ等の操作端末であって、テラー等のユーザによって紙幣入出金機１１に対する処理命令や各種情報の入出力を行うことが可能となっている。
【００４４】
紙幣入出金機１１の内部構成を図２に示す。紙幣入出金機１１は、例えば銀行等の金融機関のカウンター内で２人のテラー間に設置される。これにより、１台の紙幣入出金機１１を２人のテラーによって使用することができる。
【００４５】
紙幣入出金機１１には通信インターフェースが設けられており、ここに左右２人のテラーが操作する端末（１２、１３）がそれぞれ図１のように接続されている。これにより端末（１２、１３）と紙幣入出金機１１との双方向通信が可能となっている。そしてこれら端末（１２、１３）のいずれか一方で紙幣入出金機１１を使用することができる。
【００４６】
以下、図１および図２を参照しながら、紙幣入出金機１１の構成の詳細について説明する。紙幣入出金機１１は機体１４を有し、この機体１４は、テラーが操作する操作面側を前面１４ａとし、この前面１４ａと反対側つまりカウンターの外側の顧客側を後面１４ｂとした場合、左右方向の横幅が狭く、前後方向の奥行きが長いとともに上下方向の高さが高い縦型に構成されている。
【００４７】
また機体１４には、上部ユニット１５および下部ユニット１６が機体１４の前面側からそれぞれ引出可能に設けられている。
【００４８】
上部ユニット１５の上面前側および前面上側には、操作部としての上面操作部１７および前面操作部１８がそれぞれ配置されている。また上面操作部１７は、機体１４の上面１４ｃより上方に突出され、この上面操作部１７の後方の機体１４の上面域にカウンターが嵌合する嵌合段部１９が形成されている。この嵌合段部１９から機体１４の後面１４ｂまでの幅寸法のカウンターが、機体１４の上面１４ｃに嵌合配置され、上面操作部１７の上面がカウンターの上面と略同じ高さに配置される。
【００４９】
機体１４の前面下部域には扉体２８が開閉可能に取り付けられている。この扉体２８には、下部ユニット１６を機体１４に収納して扉体２８を閉じた状態で施錠解錠される、下部ユニット錠２９が設けられている。扉体２８が解錠されて開放されることにより、下部ユニット１６は、機体１４内から前方へ引き出し可能となっている。尚、下部ユニット錠２９は、金融機関の上位管理者または警備保障会社の社員によってのみ、施錠解錠されるようになっている。
【００５０】
また紙幣入出金機１１の内部機構としては、入金口４１、出金口４２、一時保留部４３、リジェクトボックス４４、紙幣収納部４５、紙幣搬送部４６、および識別部５０等が備えられている。
【００５１】
入金口４１は、上部ユニット１５の上面側に開口するボックス状の容器として設けられている。これによりユーザは、入金口４１に、入金紙幣等を投入することが可能となっている。投入された紙幣は、後述するように、紙幣搬送部４６によって紙幣入出金機１１の内部に搬送される。
【００５２】
また入金口４１にはカバーが設けられ、紙幣入出金機１１は、通常は当該カバーを閉じた状態で使用される。カバーが閉じられた状態であっても入金口４１には所定枚数の紙幣が投入可能となっており、紙幣の投入枚数を規制することで処理能力を超える大量の紙幣が投入され障害が発生することを回避している。
【００５３】
カバーは透明な材質で内部が視認可能となっており、投入した紙幣が確実に内部に繰り出されていることをユーザが確認できる。それと同時に紙幣が内部に取り込んでいる際にユーザが不用意に入金口４１内部に手を挿入し、搬送ベルト等の機構部に巻き込まれるようなことがないよう安全性をも確保している。
【００５４】
また、カバーは開閉可能または容易に取外し可能に設けられている。カバーを開くかまたは取外すことにより、入金口４１で処理可能な範囲内で多量の紙幣を投入することができる。また入金口４１での繰り出し不良等の障害発生時に復旧操作がしやすいようになっている。
【００５５】
出金口４２は、上部ユニット１５の上面側に開口するボックス状の容器として設けられている。これにより紙幣入出金機１１は、出金口４２に出金紙幣等を搬送し排出することが可能となっている。出金口４２に排出された紙幣は、ユーザによって取り出し可能となる。
【００５６】
一時保留部４３は、上部ユニット１５内部の前面側付近に設けられており、搬送されてきた紙幣を保留する。また一時保留部４３の前面側には、電磁ロックによってロックされる透明な扉４３ａが、開閉可能に配置されている。これによりユーザは、一時保留部４３に保留されている紙幣を直接取り出すことが可能となっている。
【００５７】
リジェクトボックス４４は、下部ユニット１６内部の前面側付近に設けられており、損券や出金リジェクト紙幣等を収納する。
【００５８】
紙幣収納部４５は、下部ユニット１６内部に設けられており、紙幣を金種別に収納する。より具体的には、金種別に紙幣が収納される複数のスタッカが前後方向に並ぶように備えられている。各スタッカは、扉体２８が開かれることにより、紙幣入出金機１１の本体から着脱自在となっている。
【００５９】
紙幣入出金機１１は、各金種に係るスタッカがどの位置に装着されているかを表す情報を記憶している。そして紙幣処理システム１は、このスタッカの配列情報に基づいて、入金処理や出金処理等を実行するようになっている。
【００６０】
ここで、例えば各スタッカの形状が互いに同一もしくは類似である場合には、ユーザによってスタッカが紙幣入出金機１１の本体から取り外された後、当該スタッカが、以前と異なる位置に装着されてしまう可能性がある。また例えば、同一もしくは類似の紙幣入出金機が複数台設置されている場合には、ある紙幣入出金機の本体からスタッカが取り外された後、当該スタッカが、別の紙幣入出金機の本体に装着されてしまう可能性がある。
【００６１】
このような場合、スタッカの配列情報が現状と整合せず、入金処理や出金処理等が正常に実行されないこととなる。そこで紙幣入出金機１１においては、このような問題を解決するため、例えば以下のような対策がなされていてもよい。
【００６２】
まず各スタッカに、対応する紙幣入出金機の本体のＩＤ情報、割り当てられている金種の情報、および自らが収納している紙幣枚数の情報等を付与しておく。尚、各情報を付与する手法としては、スタッカに内蔵されるメモリの他、ＩＣカードやＲＦ−ＩＤを利用した電気的または磁気的な手法等が挙げられる。そして紙幣入出金機１１の本体においては、スタッカが装着される位置ごとに、スタッカに付与された各情報の読取が可能であるようにしておく。
【００６３】
そしてステップＳ１１０からＳ１１４までの一連の処理が可能となっている。ここで処理詳細について図９を参照しながら説明する。
【００６４】
まず紙幣入出金機１１は、新たにスタッカが装着されたか否かを判断する（ステップＳ１１０）。装着されていなければ（ステップＳ１１０のＮ）、当該一連の処理は終了する。
【００６５】
新たにスタッカが装着された場合は（ステップＳ１１０のＹ）、紙幣入出金機１１は、この装着されたスタッカが自機に対応するものか否かを、当該スタッカに付与されている情報に基づいて判断する（ステップＳ１１１）。その結果、自機に対応しないものと判断された場合は（ステップＳ１１１のＮ）、スタッカの装着ミスが有った事を、例えば音や光を発することによってユーザに報知する（ステップＳ１１２）。これにより装着ミスがあった事に気付き、適切に対応することが可能となる。またステップＳ１１２の処理がなされた後は、当該一連の処理は終了する。
【００６６】
一方、新たに装着されたスタッカが自機に対応したものと判断された場合は（ステップＳ１１１のＹ）、装着された位置が、記憶されているスタッカの配列情報と整合しているか否かを、当該スタッカに付与されている情報に基づいて判断する（ステップＳ１１３）。その結果、整合しないと判断された場合は（ステップＳ１１３のＮ）、スタッカの配列情報を、新たに装着されたスタッカの位置に適合するように更新する（ステップＳ１１４）。
【００６７】
これにより、ユーザがスタッカの装着位置を間違えた場合であっても、スタッカの配列情報が自動的に修正され、入金処理や出金処理に支障が生じないようになる。尚、スタッカの配列情報が、実際のスタッカの配列と整合していると判断された場合（ステップＳ１１３のＹ）、もしくはステップＳ１１４の処理がなされた後は、当該一連の処理は終了する。
【００６８】
尚、紙幣入出金機１１に、他機に対応するスタッカが装着されてもよい場合には、ステップＳ１１２の処理に代えて、スタッカの配列情報を実際の配列に整合させる処理がなされるようにしても構わない。またステップＳ１１４の処理がなされる場合にも、スタッカの装着ミスが有った事が、ユーザに報知されるようにしても構わない。
【００６９】
紙幣搬送部４６は、上述した入金口４１、出金口４２、一時保留部４３、リジェクトボックス４４、および紙幣収納部４５の各々を結び、後述する制御部からの指示に基づいて、紙幣を搬送する。より具体的には、紙幣搬送部４６は、正逆方向に回転可能なベルトコンベヤとして構成されている。また図２にＡ〜Ｇで示したように、複数の分岐点を有している。これにより紙幣搬送部４６は、任意の接続先へ紙幣を効率良く搬送することが可能となっている。
【００７０】
識別部５０は、紙幣搬送部４６（分岐点ＤとＥとの間）に対応して設けられている。識別部５０は、光学センサや厚み検知センサ等を備えており、搬送されてきた紙幣における光の透過像、反射像および厚み等を検出することが可能である。識別部５０によれば、検出情報を利用したパターンマッチング等によって、搬送されてきた紙幣の通貨の種類、金種、真偽、および正損等を識別することが可能である。
【００７１】
ここで「通貨の種類」とは、例えば米国で使用されている「ドル」、ヨーロッパで使用されている「ユーロ」、日本で使用されている「円」といったような通貨の種類を指す。また「金種」とは紙幣の金額の種類（例えば、＄１、＄５、＄１０といった種類）のことであり、「真偽」とは紙幣が偽造されたものであるか否か（本物か偽物か）を示すものであり、「正損」は紙幣の劣化状態に鑑みて、紙幣が適正な状態であるか否か（正券と損券の何れであるか）を示すものである。
【００７２】
次に紙幣処理システム１における制御体系について、図３を参照しながら以下に説明する。本図に示すように、紙幣入出金機１１は、制御部２０１、演算部２０２、処理モード設定部２０３、識別部５０、紙幣搬送部４６、および記憶部２０４等を有している。尚、図３は制御体系を示すものであるが、図２と対応する構成部については同一の符号を付している。
【００７３】
制御部２０１は、例えばＣＰＵ等により構成され、紙幣入出金機１１を構成する各部を制御して、入出金機１１の行う各種の処理を実現する。また紙幣入出金機１１に接続されている端末（１２、１３）との間で、各種情報を入出力することができる。演算部２０２は、紙幣入出金機１１において必要となる各種の演算処理を実行する。特に、入金処理の実行時においては、入金額の算出等を実行する。入金額の算出は、各入金紙幣の金額が順次加算されることにより算出される。
【００７４】
尚、演算部２０２が制御部２０１によって実現される態様であっても構わない。また、識別部５０は、上述したように紙幣における通貨の種類、金種、真偽、および正損等を識別するが、当該識別結果は制御部２０１等に伝送されるようになっている。
【００７５】
処理モード設定部２０３は、ユーザの指示に応じて、紙幣入出金機１１において実行される処理モードを、予め準備されている複数の処理モードのうちのいずれかに設定する。尚、処理モードの種類や具体的な内容については後述する。
【００７６】
紙幣搬送部４６は、制御部２０１からの指示に基づいて、紙幣の搬送を行う。
【００７７】
記憶部２０４は、書換え可能な不揮発性のメモリ等により構成され、制御部２０１の指示に応じて種々の情報を記憶する。記憶部２０４は、紙幣処理システム１において主に取り扱われる通貨であるメイン通貨（処理対象貨幣）と、メイン通貨とは異なるが紙幣処理システム１において取り扱い可能であるサブ通貨（対象外貨幣）に関する各種情報を記憶している。また記憶部２０４は、メイン通貨とサブ通貨との間の金額換算に用いられる換算レートの情報をも記憶している。
【００７８】
ここでメイン通貨およびサブ通貨とは、具体的には、例えばメイン通貨が現在流通している紙幣であって、サブ通貨が旧紙幣である場合を言う。或いは、自国の貨幣をメイン通貨とし、他国の貨幣をサブ通貨とすることもできる。即ち、入出金機１１で主に取り扱う貨幣をメイン通貨とし、真の貨幣ではあるがメイン通貨以外の貨幣であるものをサブ通貨とする。
【００７９】
紙幣処理システム１においては、サブ通貨が入金された場合、一般に流通するメイン通貨ではないため再使用はしない。しかし、偽札等とは異なり真の貨幣であることから、記憶部２０４に記憶された換算レート等の情報に基づいて、サブ通貨で入金された金額をメイン通貨に相当する金額に換算し、入金額として積算する。これらの処理詳細については後述する。
【００８０】
次に、紙幣処理システム１において実行される主な処理の内容について、図４から図８の各図を参照しながら、以下に説明する。
【００８１】
紙幣処理システム１では、現時点で設定されている処理モード（第１処理モードから第５処理モードまでの何れか）に従って、各種処理が実行されるようになっている。
【００８２】
まず、処理モードとして第１処理モードが設定されている場合について、図４を参照しながら説明する。第１処理モードは、従来のように一時保留部４３を利用して入出金処理を行う保留モードである。
【００８３】
当該処理モードでは、紙幣処理システム１は、ユーザによる入金処理開始の指示の有無（ステップＳ１１）、ユーザによる出金処理開始の指示の有無（ステップＳ１２）、およびユーザによる処理モード変更指示の有無（ステップＳ１３）を監視する。尚、ユーザによる各種の指示は、例えば、ユーザが端末（１２、１３）を操作することによって実現される。
【００８４】
そして入金処理開始の指示が有ったときは（ステップＳ１１のＹ）、紙幣処理システム１は、入金口４１に投入されている入金紙幣を、一時保留部４３に搬送して保留する（ステップＳ１４）。より具体的には、入金紙幣を、入金口４１から、分岐点Ｄ、識別部５０、分岐点Ｅ、Ｃ、Ｂ、Ａを順に経由して、一時保留部４３に搬送して収納する。
【００８５】
またこの搬送中において、識別部５０によって入金紙幣ごとの金種が識別され、演算部２０２によって各入金紙幣の金額が入金額算出のために加算される。そしてこの入金額が、例えば端末（１２、１３）に備えられるディスプレイに表示される。
【００８６】
識別部５０は、金種に加え、各入金紙幣が正券であるか損券であるかをも識別する。損券と識別された入金紙幣は、一時保留部４３に一時保留された後、リジェクトボックス４４に搬送され収納される。また識別部５０は、各入金紙幣の真偽についても識別可能である。入金紙幣が偽券であると判断した場合は、紙幣を一時保留部へ搬送せずリジェクトしたり、図示しない専用の収納部へ搬送し収納する。
【００８７】
そして紙幣処理システム１は、入金額を表示しながらユーザからの入金の承認または非承認の指示を待つ（ステップＳ１５）。ユーザは、端末（１２、１３）の操作を通じて入金の承認または非承認を指示することができる。
【００８８】
そして入金承認の指示がなされた場合は（ステップＳ１５のＹ）、紙幣処理システム１は、一時保留部４３に保留されている入金紙幣を識別し、その結果に基づいて紙幣収納部４５に搬送し収納する（ステップＳ１６）。このとき、入金額等の情報は、端末（１２、１３）に送られて記録される。これにより入金処理が完了する。
【００８９】
一方、入金非承認の指示がなされた場合は（ステップＳ１５のＮ）、紙幣処理システム１は、電磁ロックを解除して一時保留部４３前面の扉４３ａを開く。これによりユーザは、一時保留部４３に保留されている紙幣を取り出して、所有者に返却することが可能となる（ステップＳ１７）。紙幣が所有者に返却されることによって、入金のキャンセル処理が完了する。ステップＳ１６またはＳ１７の処理がなされた後は、ステップＳ１１の処理に戻る。
【００９０】
また出金処理開始の指示が有ったときは（ステップＳ１２のＹ）、紙幣処理システム１は、紙幣収納部４５に収納されている紙幣のうち指定された出金額に相当する分の紙幣を、出金紙幣として一時保留部４３に搬送して保留する（ステップＳ１８）。より具体的には、出金紙幣を、紙幣収納部４５から、分岐点Ｆ、Ｅ、識別部５０、分岐点Ｄ、Ｃ、Ｂ、Ａを順に経由して、一時保留部４３に搬送して保留する。
【００９１】
そして紙幣処理システム１は、ユーザからの出金の承認または非承認の指示を待つ（ステップＳ１９）。ユーザは、端末（１２、１３）の操作を通じて出金の承認または非承認の指示を入力することができる。尚、待機中は、例えば出金紙幣の金種ごとの枚数等の情報が、端末（１２、１３）のディスプレイ上に表示されるようにしてもよい。
【００９２】
そして出金承認の指示がなされた場合は（ステップＳ１９のＹ）、紙幣処理システム１は、一時保留部４３に保留されている出金紙幣を出金口４２に搬送して排出する（ステップＳ２０）。このとき、出金額等の情報は、端末（１２、１３）に送られて記録される。これにより出金処理が完了する。
【００９３】
一方、出金非承認の指示がなされた場合は（ステップＳ１９のＮ）、紙幣処理システム１は、一時保留部４３に保留されている出金紙幣を、紙幣収納部４５に戻す（ステップＳ２１）。これにより出金のキャンセル処理が完了する。ステップＳ２０またはＳ２１の処理がなされた後は、ステップＳ１１の処理に戻る。
【００９４】
また処理モード変更の指示が有ったときは（ステップＳ１３のＹ）、紙幣処理システム１は、処理モードの変更処理を実行する（ステップＳ２２）。より具体的には、例えば端末（１２、１３）のディスプレイ表示を通じて、ユーザに所望の処理モードを選択させる。このときユーザは、端末（１２、１３）の操作を通じて、第１処理モードから第５処理モードのうちの何れかを選択することが可能となっている。
【００９５】
そして何れかの処理モードが選択されると、処理モード設定部２０３は、現在設定されている処理モードを、当該選択された処理モードに変更する。その後、紙幣処理システム１は、新たに設定された処理モードに従って、各処理を実行する。具体的には、例えば、第１処理モードが設定された場合はステップＳ１１の処理が、第２処理モードが設定された場合はステップＳ３１の処理が開始される。
【００９６】
第２処理モードから第５処理モードは、一時保留部４３を利用せずに入出金処理を行う非保留モードである。非保留モードでは、一時保留部４３を他の目的に利用することで様々な運用を可能としている。以下、非保留モードの各モード詳細について説明する。
【００９７】
まず第２処理モードが設定された場合に実行される処理について、図５を参照しながら説明する。第２処理モードは、一時保留部４３を従来のように入出金処理のために利用することなく、損券を収納するために利用するモードである。
【００９８】
当該処理モードでは、紙幣処理システム１は、ユーザによる入金処理開始の指示の有無（ステップＳ３１）、ユーザによる出金処理開始の指示の有無（ステップＳ３２）、およびユーザによる処理モード変更指示の有無（ステップＳ３３）を監視する。尚、ユーザによる各種の指示は、例えばユーザが端末（１２、１３）を操作することによって実現される。
【００９９】
入金処理開始の指示が有ったときは（ステップＳ３１のＹ）、紙幣処理システム１は、入金口４１に投入されている入金紙幣を一枚ずつ繰り入れ、分岐点Ｄを経由して、識別部５０に搬送する。そして識別部５０は、識別部５０に搬送された入金紙幣に対して正損を識別する（ステップＳ３４）。
【０１００】
その結果、正券であると識別された場合は（ステップＳ３５のＹ）、当該入金紙幣は紙幣収納部４５に搬送されて収納される（ステップＳ３６）。
【０１０１】
一方、損券であると識別された場合には（ステップＳ３５のＮ）、リジェクトボックス４４に空き容量があれば（ステップＳ３７のＮ）、当該入金紙幣は、分岐点Ｅ、Ｆ、Ｇを順に経由してリジェクトボックス４４に搬送される。尚、リジェクトボックスに空き容量があるか否かについては、リジェクトボックス４４に設けられた収納量を検知するセンサの検知情報に基づいて判断される。
【０１０２】
リジェクトボックス４４が満杯であれば（ステップＳ３７のＹ）、当該入金紙幣は、分岐点Ｅ、Ｃ、Ｂ、Ａを順に経由して一時保留部４３に搬送され収納される（ステップＳ３９）。このとき、リジェクトボックス４４が満杯で一時保留部４３への搬送が開始されたことを、例えば音や光、端末（１２、１３）のディスプレイ上への表示によりユーザへ報知する。識別部５０では正券、損券共に金種を識別し、その結果が入金額に加算される。
【０１０３】
ステップＳ３４からステップＳ３９までの各処理は、入金口４１に投入された全ての入金紙幣がなくなるまで続けられる（ステップＳ４０）。そして全ての紙幣について当該処理が完了すると（ステップＳ４０のＹ）、入金額に係る情報は端末（１２、１３）に送られて記録される。これにより入金処理が完了する。その後、ステップＳ３１の処理に戻る。
【０１０４】
また出金処理開始の指示が有ったときは（ステップＳ３２のＹ）、紙幣処理システム１は、紙幣収納部４５に収納されている紙幣のうち指定された出金額に相当する分の紙幣を、出金紙幣として出金口４２に搬送して排出する（ステップＳ４１）。より具体的には、出金紙幣を、紙幣収納部４５から分岐点Ｆ、Ｅ、識別部５０、分岐点Ｄ、Ｃ、Ｂ、Ａを順に経由して、出金口４２に搬送する。このとき、出金額等の情報は端末（１２、１３）に送られて記録される。これにより出金処理が完了する。その後、ステップＳ３１の処理に戻る。
【０１０５】
処理モード変更の指示が有ったときは（ステップＳ３３のＹ）、紙幣処理システム１は処理モードの変更処理を実行する（ステップＳ４２）。尚、当該変更処理の内容は、上述したステップＳ２２の処理内容と同様であるため説明を省略する。
【０１０６】
入金処理の完了後、リジェクトボックス４４に空き容量が生じたことが検出された場合は、一時保留部４３に保留されている損券がリジェクトボックス４４に自動的に搬送される。これにより例えばユーザによってリジェクトボックス４４から損券が取り出された場合に、一時保留部４３に保留されている損券をリジェクトボックス４４に集約させることが可能となる。また入金処理の完了後に、一時保留部４３に損券が依然収納されている場合には、例えば音や光、端末（１２、１３）のディスプレイ上への表示によりユーザへ報知する。
【０１０７】
入出金機１１は、下部ユニット１６内の紙幣収納部４５に紙幣が収納されている。そのため、例えば下部ユニット１６が金庫内に収められ、上部ユニット１５に比べ高いセキュリティ性を確保している。これに対し、上部ユニット１５にある一時保留部４３は、入金処理がキャンセルされた際に容易に紙幣を取り出せるような構成となっているため、下部ユニット１６内にあるリジェクトボックス４４に比べセキュリティ性が低い。そのため、上述したように動作することで、一時保留部４３内に紙幣が残留することを回避し、リジェクトボックス４４に収納することができる。或いは、ユーザに対し、一時保留部４３からの紙幣の取り出しを促す報知を行う態様であっても構わない。これにより一時保留部４３を損券の収納に利用しながら、一時保留部４３に紙幣が残存しないようにすることでセキュリティ性を確保することができる。
【０１０８】
次に、第３処理モードが設定された場合に実行される各処理について、図６を参照しながら説明する。第３処理モードは、一時保留部４３を従来のように入出金処理のために利用することなく、入出金機１１の処理対象外であるサブ通貨を収納するために利用する非保留モードである。
【０１０９】
当該処理モードでは、紙幣処理システム１は、ユーザによる入金処理開始の指示の有無（ステップＳ５１）、ユーザによる出金処理開始の指示の有無（ステップＳ５２）、およびユーザによる処理モード変更指示の有無（ステップＳ５３）を監視する。尚、ユーザによる各種の指示は、例えば、ユーザが端末（１２、１３）を操作することによって実現される。
【０１１０】
入金処理開始の指示が有ったときは（ステップＳ５１のＹ）、紙幣処理システム１は、入金口４１に投入されている入金紙幣を一枚ずつ繰り入れ、分岐点Ｄを経由して、識別部５０に搬送する。そして識別部５０は、識別部５０に搬送された入金紙幣に対して、通貨の種類を識別する（ステップＳ５４）。
【０１１１】
その結果、上述したメイン通貨であると識別した場合は（ステップＳ５５のＹ）、当該入金紙幣は、分岐点Ｅ、Ｆを順に経由して紙幣収納部４５に搬送され収納される（ステップＳ５６）。このとき、メイン通貨である各入金紙幣の金額は、入金額算出のために加算される。一方、上述したサブ通貨であると識別された場合には（ステップＳ５５のＮ）、当該入金紙幣は、分岐点Ｅ、Ｃ、Ｂ、Ａを順に経由して一時保留部４３に搬送され収納される（ステップＳ５７）。
【０１１２】
尚、サブ通貨の金額は、記憶部２０４に記憶された換算レートに基づいてメイン通貨における金額に換算される。そして当該換算後の金額が、入金額に加算される。具体的には例えば、メイン通貨がドル紙幣である場合に、サブ通貨として日本の紙幣であると識別されると、換算レートに基づいて円がドルに換算され、換算結果を入金額に加算する。
【０１１３】
このとき、メイン通貨でもサブ通貨でもないと判断された入金紙幣は、収納されず排出されたりリジェクトボックス４４等の所定収納部に収納される。また、損券と識別された入金紙幣については、入金額に加算された上リジェクトボックス４４に搬送される。
【０１１４】
ステップＳ５４からステップＳ５７までの各処理は、全ての入金紙幣（入金口４１に投入されている紙幣）に対して実行される（ステップＳ５８）。そして全ての入金紙幣について当該処理が完了したら（ステップＳ５８のＹ）、入金額の情報が端末（１２、１３）に送られて記録される。これにより入金処理が完了する。その後、ステップＳ５１の処理に戻る。
【０１１５】
また出金処理開始の指示が有ったときは（ステップＳ５２のＹ）、紙幣処理システム１は、紙幣収納部４５に収納されている紙幣のうち指定された出金額に相当する分の紙幣を、出金紙幣として出金口４２に搬送して排出する（ステップＳ５９）。より具体的には、出金紙幣を、紙幣収納部４５から分岐点Ｆ、Ｅ、識別部５０、分岐点Ｄ、Ｃ、Ｂ、Ａを順に経由して出金口４２に搬送する。またこのとき、出金額等の情報は、端末（１２、１３）に送られて記録される。これにより出金処理は完了する。その後、ステップＳ５１の処理に戻る。
【０１１６】
また処理モード変更の指示が有ったときは（ステップＳ５３のＹ）、紙幣処理システム１は、処理モードの変更処理を実行する（ステップＳ６０）。尚、当該変更処理の内容は、上述したステップＳ２２の処理内容と同様であるため説明を省略する。
【０１１７】
次に、第４処理モードが設定された場合に実行される各処理について、図７を参照しながら説明する。第４処理モードは、一時保留部４３を従来のように入出金処理のために利用することなく、強盗等に対応するための追跡可能紙幣を収納するために利用する非保留モードである。
【０１１８】
ここで、追跡可能紙幣とは、各紙幣を識別可能な情報として例えば記番号が予め記録され、事後的に流通する過程を追跡することが可能な紙幣を言う。
【０１１９】
当該処理モードでは、紙幣処理システム１は、ユーザによる入金処理開始の指示の有無（ステップＳ７１）、ユーザによる出金処理開始の指示の有無（ステップＳ７２）、およびユーザによる処理モード変更指示の有無（ステップＳ７３）を監視する。また更に、紙幣処理システム１は、一時保留部４３に追跡可能紙幣が補充されているか否か（ステップＳ７４）、およびユーザによる追跡可能紙幣の出金指示の有無（ステップＳ７５）をも監視する。
【０１２０】
尚、ユーザによる各種の指示は、例えばユーザが端末（１２、１３）を操作することによって実現される。またステップＳ７４の処理に関する判断の方法としては、例えば一時保留部４３に紙幣が存在するか否かを感知するセンサを設け、当該センサの出力信号を利用する方法や、ユーザから入力された信号に基づく方法等、種々の方法が採用可能である。
【０１２１】
入金処理開始の指示が有ったときは（ステップＳ７１のＹ）、紙幣処理システム１は、入金口４１に投入されている入金紙幣を分岐点Ｄ、識別部５０、分岐点Ｅ、Ｆを順に経由させて紙幣収納部４５に搬送し収納する（ステップＳ７６）。尚、入金紙幣の正損が識別され、損券と識別された入金紙幣がリジェクトボックス４４に搬送される点は第１処理モードの場合と同様である。
【０１２２】
損券を含め識別部５０によって識別された各入金紙幣の金額は、入金額に加算される。そして最終的な入金額等の情報は、端末（１２、１３）に送られて記録される。これにより入金処理が完了する。その後、ステップＳ７１の処理に戻る。
【０１２３】
出金処理開始の指示が有ったときは（ステップＳ７２のＹ）、紙幣処理システム１は、紙幣収納部４５に収納されている紙幣のうち指定された出金額に相当する分の紙幣を、出金紙幣として出金口４２に搬送して排出する（ステップＳ７７）。より具体的には、出金紙幣を紙幣収納部４５から分岐点Ｆ、Ｅ、識別部５０、分岐点Ｄ、Ｃ、Ｂ、Ａを順に経由して出金口４２に搬送する。このとき、出金額等の情報は端末（１２、１３）に送られて記録される。これにより出金処理が完了する。その後、ステップＳ７１の処理に戻る。
【０１２４】
処理モード変更の指示が有ったときは（ステップＳ７３のＹ）、紙幣処理システム１は処理モードの変更処理を実行する（ステップＳ７８）。尚、当該変更処理の内容は、上述したステップＳ２２の処理内容と同様であるため説明を省略する。
【０１２５】
一時保留部４３に追跡可能紙幣が補充されていない場合は（ステップＳ７４のＮ）、紙幣処理システム１は紙幣収納部４５から所定量の紙幣を繰出し、分岐点Ｆ、Ｅ、識別部５０、Ｄの順に搬送する。そして識別部５０で読み取られた紙幣の記番号が記憶部２０４に記録される（ステップＳ７９）。このとき、記番号と共に、記番号の読取がなされた日時等の情報が記録されるようにしてもよく、これらの各情報が端末（１２、１３）に送られて端末内の記憶装置に記録されるようにしてもよい。
【０１２６】
また、ステップＳ７４、Ｓ７９、およびＳ８０の処理が省略され、ユーザの手作業によって追跡可能紙幣が適宜補充されるようになっていても構わない。或いは、入金口４１から所定量の紙幣を入金し、当該紙幣の記番号を識別部５０で読み取って記録した後、一時保留部４３に搬送して収納する態様であっても構わない。このようにして記番号が記録された追跡可能紙幣が、一時保留部４３に補充される（ステップＳ８０）。
【０１２７】
追跡可能紙幣の出金指示が有ったときは（ステップＳ７５のＹ）、紙幣処理システム１は、一時保留部４３に保留されている追跡可能紙幣を分岐点Ａ、Ｂ、Ｃ、Ｅ、識別部５０、分岐点Ｄ、Ｃ、Ｂ、Ａを順に経由させて出金口４２に搬送し排出する（ステップＳ８１）。
【０１２８】
これによりユーザは、例えば強盗等に対応する際に、紙幣入出金機１１から出金された追跡可能紙幣を出金口４２から取り出して手渡すことが可能となる。または、一時保留部４３から追跡可能紙幣を直接取り出して手渡すことも可能である。このように対応することで、強奪された紙幣の流通を追跡することが可能となる。ステップＳ８０またはＳ８１の処理がなされた後は、ステップＳ７１の処理に戻る。
【０１２９】
次に、第５処理モードが設定された場合に実行される各処理について、図８を参照しながら説明する。第５処理モードは、一時保留部４３を従来のように入出金処理に利用することなく、両替時に特によく利用される金種を収納するために利用する非保留モードである。
【０１３０】
当該処理モードでは、紙幣処理システム１は、ユーザによる入金処理開始の指示の有無（ステップＳ９１）、ユーザによる出金処理開始の指示の有無（ステップＳ９２）、ユーザによる処理モード変更指示の有無（ステップＳ９３）、およびユーザによる両替処理開始の指示の有無（ステップＳ９４）を監視する。
【０１３１】
尚、ユーザによる各種の指示は、例えばユーザが端末（１２、１３）を操作することによって実現される。またここでの両替処理は、ある金種の紙幣（「両替前紙幣」とする）を受取る一方、この両替前紙幣と同額相当の他金種の紙幣（「両替後紙幣」とする）を排出する処理である。例えば、１枚の両替前紙幣２００ユーロ紙幣を受取り、両替後紙幣５ユーロ紙幣を４０枚排出する処理を言う。ユーザにより両替処理開始の指示がなされるときは、両替後紙幣の金種も指定される。
【０１３２】
入金処理開始の指示が有ったときは（ステップＳ９１のＹ）、紙幣処理システム１は入金口４１に投入されている入金紙幣を分岐点Ｄ、識別部５０、分岐点Ｅ、Ｆを順に経由させて紙幣収納部４５に搬送し収納する（ステップＳ９５）。尚、入金紙幣の正損が識別され、損券と識別された入金紙幣がリジェクトボックス４４に搬送される点は第１処理モードの場合と同様である。
【０１３３】
また、損券を含め識別部５０によって識別された各入金紙幣の金額は入金額に加算される。そして最終的な入金額等の情報は端末（１２、１３）に送られて記録される。これにより入金処理が完了する。その後、ステップＳ９１の処理に戻る。
【０１３４】
また出金処理開始の指示が有ったときは（ステップＳ９２のＹ）、紙幣処理システム１は、紙幣収納部４５に収納されている紙幣のうち指定された出金額に相当する分の紙幣を、出金紙幣として出金口４２に搬送して排出する（ステップＳ９６）。より具体的には、出金紙幣を紙幣収納部４５から分岐点Ｆ、Ｅ、識別部５０、分岐点Ｄ、Ｃ、Ｂ、Ａを順に経由して出金口４２に搬送する。このとき、出金額等の情報は端末（１２、１３）に送られて記録される。これにより出金処理が完了する。その後、ステップＳ９１の処理に戻る。
【０１３５】
また処理モード変更の指示が有ったときは（ステップＳ９３のＹ）、紙幣処理システム１は、処理モードの変更処理を実行する（ステップＳ９７）。尚、当該変更処理の内容は、上述したステップＳ２２の処理内容と同様であるため説明を省略する。
【０１３６】
両替処理開始の指示が有ったときは（ステップＳ９４のＹ）、紙幣処理システム１は、入金口４１に投入されている両替前紙幣を識別部５０に搬送し、当該両替前紙幣の金種が識別される。その後、両替前紙幣は紙幣収納部４５に搬送されて収納される。
【０１３７】
そして紙幣処理システム１は、一時保留部４３に収納されている紙幣（以下「保留紙幣」と称する）の金種が、予めユーザにより指定された両替後紙幣の金種と一致しているか否かを判断する（ステップＳ９８）。尚、紙幣処理システム１において、処理モードとして第５処理モードが設定されている場合は、保留紙幣の金種が予めユーザにより指定可能となっている。また一時保留部４３には、予め保留紙幣を収納しておくことができる。
【０１３８】
保留紙幣の金種が、両替後紙幣の金種と一致しないと判断された場合は（ステップＳ９８のＮ）、紙幣処理システム１は、紙幣収納部４５から両替後紙幣を繰出して、出金口４２に搬送して排出する（ステップＳ９９）。
【０１３９】
一方、一致していると判断された場合は（ステップＳ９８のＹ）、両替処理において、一時保留部４３からの出金と紙幣収納部４５からの出金とのいずれが優先されるべきか、その優先順位を判断する（ステップＳ１００）。尚、紙幣処理システム１において、処理モードとして第５処理モードが設定されている場合には、当該優先順位は、予めユーザにより指定可能となっている。
【０１４０】
そして一時保留部４３からの出金が優先されるべきと判断された場合は（ステップＳ１００のＹ）、紙幣処理システム１は、一時保留部４３から両替後紙幣を繰出し出金口４２に搬送して排出する（ステップＳ１０１）。即ち、保留紙幣の全部または一部が両替後紙幣として取り扱われる。尚、両替後紙幣の出金において保留紙幣が不足する場合には、不足分の両替後紙幣が紙幣収納部４５から出金口４２に搬送される。
【０１４１】
一方で、紙幣収納部４５からの出金が優先されるべきと判断された場合は（ステップＳ１００のＮ）、紙幣処理システム１は、紙幣収納部４５から両替後紙幣を繰出し出金口４２に搬送して排出する（ステップＳ１０２）。その後、両替後紙幣として出金した量が、一時保留部４３から紙幣収納部４５へ補充される（ステップＳ１０３）。ステップＳ９９、Ｓ１０１、またはＳ１０３の処理がなされることにより両替処理が完了する。これらの処理がなされた後、ステップＳ９１の処理に戻る。
【０１４２】
以上に説明した通り、紙幣処理システム１によれば、入金処理または出金処理の態様として、入金紙幣または出金紙幣が一時保留部４３に一時保留される態様（第１処理モードの設定時）と、一時保留がなされない態様（第２処理モードから第５処理モードの何れかの設定時）の何れかを実行可能である。
【０１４３】
第１処理モードのように、入金紙幣または出金紙幣の一時保留動作がなされる保留モードによれば、例えば一時保留動作のなされた状態で、ユーザに入金または出金の許否を指示させることが可能である。そのため、入金処理において仮に入金が許可されなかった場合であっても、入金された紙幣現物を一時保留部からそのまま返却することにより、入金のキャンセル処理が実現される。これにより、入金紙幣が紙幣収納部４５に収納された後、収納した紙幣を繰り出して返却するものに比べ、処理を迅速かつ正確なものとすることが可能である。
【０１４４】
また出金処理において仮に出金が不許可となった場合であっても、一時保留されている紙幣が紙幣収納部４５に戻されることにより、出金のキャンセル処理が実現される。これにより、出金紙幣が出金口４２から排出された後、出金紙幣を手作業等によって紙幣収納部４５に戻す必要があるものに比べ、出金のキャンセル処理を容易なものとすることが可能である。
【０１４５】
その一方で、第２処理モードから第５処理モードの各々のように、入金紙幣または出金紙幣の一時保留がなされない非保留モードによれば、紙幣の一時保留動作を省略することにより、入出金処理を迅速なものとすることが可能となる。
【０１４６】
入出金処理において、一時保留動作を行うことが望ましいか否かについては、例えば紙幣処理システムの使用環境等によって左右される。本実施形態に係る紙幣処理システム１によれば、一時保留動作を行うか否かを任意に採用することが可能であるため、使用環境等に応じた適切な入金処理または出金処理が実現される。
【０１４７】
紙幣処理システム１は、一時保留動作を行わない場合にも、第２処理モードから第５処理モードの何れかが設定されることにより、一時保留部４３を有効に活用することができる。
【０１４８】
以下、第２処理モードから第５処理モードまでの、各処理モードが設定された場合における利点等について説明する。
【０１４９】
第２処理モードが設定された場合には、損券を収納するリジェクトボックス４４が満杯になると、損券の搬送先はリジェクトボックス４４から一時保留部４３に自動的に切り替わる（ステップＳ３９）。そのため、損券を収納できる量が実質的に拡大することとなり、損券の収納容量が不足し処理が停止する事態を極力回避することが可能となる。
【０１５０】
第３処理モードが設定された場合には、サブ通貨の紙幣が入金されたときに、当該紙幣の金額がメイン通貨の金額に換算され入金額に加算されるとともに、当該サブ通貨の紙幣は一時保留部４３に搬送される（ステップＳ５７）。そのため入金処理において、サブ通貨の金額を入金額に反映させながら、サブ通貨の紙幣を、紙幣収納部４５に収納されるメイン通貨の紙幣やリジェクトボックス４４に収納されるリジェクト紙幣と分離することが可能となっている。その結果、分離されたサブ通貨の入金紙幣を、メイン通貨の紙幣等とは別に管理することが容易となる。
【０１５１】
第４処理モードが設定された場合には、予め追跡可能紙幣が準備され、ユーザの指示に応じて、追跡可能紙幣が出金される。そのため、例えば侵入してきた強盗犯が金銭を要求した場合に、ユーザは、追跡可能紙幣を出金させ、これを強盗犯に手渡すことが可能となる。また追跡可能紙幣については予め記番号等が記録されているため、この情報を事後的に犯人の捜査に役立てることが可能となる。
【０１５２】
第５処理モードが設定された場合には、予め一時保留部４３に収納されている紙幣が両替後紙幣として活用される。そのためユーザは、両替後紙幣として頻繁に指定される金種の紙幣を予め一時保留部４３に収納させておくことにより、両替後紙幣の不足のために処理が停止するという事態を極力回避することが可能である。
【０１５３】
尚、一時保留部４３の方が、紙幣収納部４５に比べて、出金口４２までの紙幣の搬送距離が短い。そのため、両替後紙幣が、一時保留部４３から優先的に出金されれば、両替処理における搬送ジャムの発生を極力抑えることが可能である。また一時保留部４３から出金口４２までの紙幣搬送は、上部ユニット１５のみによって実行されるため、当該紙幣搬送において搬送ジャム等の不具合が生じても、ユーザは比較的容易に対処することが可能である。
【０１５４】
また、一時保留部４３に配置されている扉４３ａの開閉は、非保留モードが設定されている場合には、所定のパスワードが入力されたときに限り実行可能であるようになっていてもよい。また自動的または手動設定により、当該扉４３ａの開閉の履歴が、記憶部２０４に記録されるようになっていてもよい。このようになっていれば、一時保留部４３が各目的のために利用されることに伴うセキュリティの低下を回避することができる。
【０１５５】
さらに、紙幣処理システム１においては、紙幣入出金機１１と端末（１２、１３）が備えられているが、上述した端末（１２、１３）の役割（ユーザによる操作の情報の取得や、ディスプレイによる表示等）を、紙幣入出金機１１単体で果たすことができるようにしておき、端末（１２、１３）を省略するようにしても構わない。また本実施形態では、貨幣の一態様として紙幣を挙げたが、紙幣の代わりに、若しくは紙幣に加えて、硬貨が用いられても構わない。
【０１５６】
以上に説明した通り、本発明の実施形態に係る紙幣処理システム１（或いは、紙幣入出金機１１）は、入金貨幣が投入される入金口４１と、貨幣が収納される紙幣収納部４５と、入金貨幣を、入金口４１から紙幣収納部４５に向けて搬送する（出金貨幣については、紙幣収納部４５から出金口４２に搬送する）紙幣搬送部４６と、紙幣搬送部４６を制御し、入金貨幣を紙幣収納部４５に搬送して収納する入金処理を行う制御部２０１と、を備えている。尚、制御部２０１は、出金貨幣を出金口４２に搬送して排出する出金処理をも行う。
【０１５７】
また更に、紙幣を保留する一時保留部４３と、ユーザの指示に応じて、実行される処理モードを、保留モード（第１処理モード）と、非保留モード（第２処理モードから第５処理モードの何れか）の何れかに切替可能に設定する処理モード設定部２０３と、を備えている。
【０１５８】
そして更に、制御部２０１は、入金処理を行うにあたり、処理モードが保留モードに設定されている場合には、入金貨幣を、入金口４１から一時保留部４３に搬送して一時保留させた後に、紙幣収納部４５に搬送して収納する。その一方、処理モードが非保留モードに設定されている場合には、入金貨幣を、一時保留部に一時保留させることなく、入金口４１から紙幣収納部４５に搬送して収納する。
【０１５９】
また制御部２０１は、出金処理を行うにあたっては、処理モードが保留モードに設定されている場合には、出金貨幣を、紙幣収納部４５から一時保留部４３に搬送して一時保留させた後に、出金口４２に搬送して排出する。その一方、処理モードが非保留モードに設定されている場合には、出金貨幣を、一時保留部４３に一時保留させることなく、紙幣収納部４５から出金口４２に搬送して排出する。
【０１６０】
尚、紙幣処理システム１においては、非保留モードの一つとして、第２処理モードから第５処理モードまでの４種類の処理モードのうちから任意に設定可能となっているが、これに限定されるものではない。例えば非保留モードとして、上述した第２処理モードから第５処理モードまでのうちいずれか一つしか準備されていないようにしても構わない。
【産業上の利用可能性】
【０１６１】
本発明は、入金処理や出金処理を実行する貨幣処理装置等の分野において利用可能である。
【符号の説明】
【０１６２】
１          紙幣処理システム
１１        紙幣入出金機
１２        端末
１３        端末
１４        機体
１５        上部ユニット
１６        下部ユニット
４１        入金口
４２        出金口
４３        一時保留部
４３ａ      扉
４４        リジェクトボックス
４５        紙幣収納部
４６        紙幣搬送部
５０        識別部
２０１        制御部
２０２        演算部
２０３        処理モード設定部
２０４        記憶部
Ａ、Ｂ、Ｃ、Ｄ、Ｅ、Ｆ、Ｇ      分岐点
【図１】
0005439489.tif 000002
【図２】
0005439489.tif 000003
【図３】
0005439489.tif 000004
【図４】
0005439489.tif 000005
【図５】
0005439489.tif 000006
【図６】
0005439489.tif 000007
【図７】
0005439489.tif 000008
【図８】
0005439489.tif 000009
【図９】
0005439489.tif 000010